(57)【要約】【課題】施工性に優れているとともに、透水性に富み、斜面部分を流れ伝わる水や斜面内湧水を効率よく集めて排水することができる盛土透水層を提供する。【解決手段】既存の傾斜地斜面１０に沿い造成される新設盛土１１であって、新設盛土１１内に透水手段が施工されてなる盛土透水層１である。透水手段として、破砕ゴム片Ａを棒状に形成してなる排水部位２が傾斜地斜面１０から新設盛土１１側法面まで略水平方向に複数施工されてなる。【選択図】図１
2008223360.tif 000002
【特許請求の範囲】
【請求項１】
既存の傾斜地斜面に沿い造成される新設盛土であって、該新設盛土内に透水手段が施工されてなる盛土透水層において、前記透水手段として、破砕ゴム片を棒状に形成してなる排水部位が前記傾斜地斜面から前記新設盛土側法面まで略水平方向に複数施工されてなることを特徴とする盛土透水層。
【請求項２】
前記排水部位が、前記傾斜地斜面に隣接する部分をテーパー状に形成してなる基端部を有する請求項１記載の盛土透水層。
【請求項３】
前記破砕ゴム片の長径が、１０〜３００ｍｍである請求項１又は２記載の盛土透水層。
【請求項４】
前記排水部位が、水平より１〜１０°の勾配を付けて施工されている請求項１乃至３のうちいずれか一項記載の盛土透水層。
【請求項５】
前記排水部位が、前記新設盛土内において高さ方向に複数段施工されている請求項１乃至４のうちいずれか一項記載の盛土透水層。
【請求項６】
前記排水部位が、前記新設盛土の法面に対し任意の高さで施工されている請求項１乃至５のうちいずれか一項記載の盛土透水層。
【発明の詳細な説明】
【技術分野】
【０００１】
本発明は、既存の傾斜地斜面に沿い造成される新設盛土であって、該新設盛土内に透水手段が施工されてなる盛土透水層に関し、詳しくは、施工性に優れているとともに、透水性に富み、斜面部分を流れ伝わる水や斜面内湧水を効率よく集めて排水することができる盛土透水層に関する。
【背景技術】
【０００２】
山など急斜面の法面に沿い新設盛土を形成し、道路・鉄道を建設したり、より緩斜面の地形を形成し土砂崩れ等災害を未然に防止したりする際、旧斜面沿いに流れ伝わる水や旧斜面内からの湧き水が新設盛土内に浸透してくる。このため、土砂崩れ等を未然に防止するためには、これらの水を新設盛土内を経由させて法面側に逃がすための透水層が必要となる。
【０００３】
この透水層については、例えば、微粒径成分の少ない砕石をブランケット型透水層として２０ｃｍ〜５０ｃｍの厚みで全面または部分的に用いる工法が知られている。また、部分的に用いるが全面には施工する必要がない場合には、棒状に形成したものを複数本施工する工法が知られている。
【０００４】
一方、特許文献１には、法面などの斜面に排水部位を吹き付けて、地山からの湧水や雨水の浸透水を透水材の連続空隙により表面や下部に導き、斜面の湧水による空洞化や、吹付面の剥離などを防止する透水材の施工法及びその構造が提案されている。
【０００５】
また、非特許文献１には、廃タイヤをカットまたは粉砕して得られるタイヤチップを利用したブランケット型面状排水層の適用例が開示されている。
【特許文献１】特開２００１―２３４５４６号公報
【非特許文献１】古タイヤの基礎地盤・土構造物への有効利用技術、基礎工、Vol34、No.2、pp.58〜63、2006
【発明の開示】
【発明が解決しようとする課題】
【０００６】
しかしながら、従来より知られている盛土透水層は必ずしも十分なものとはいえなかった。例えば、上記の砕石を用いたブランケット型透水層においては、砕石の比重が重いため施工現場までの輸送費用が嵩むことや、産地やグレードによって小粒径成分が多く混入することがあり、透水性が十分確保できないことが問題視されている。また、昨今は鉱石資源節約の観点から同等の機能を有するリサイクル材の活用が注目されているが、リサイクル材として廃タイヤをカットまたは粉砕して得られるタイヤチップを利用した上掲非特許文献１記載のブランケット型面状排水層をそのまま既存の傾斜地斜面に沿い造成される新設盛土に適用することは、経済性の他、盛土の強度と排水性の両立という観点などから施工上問題があった。
【０００７】
さらに、上掲特許文献１の透水材の施工法及びその構造においては、金網を敷設したり、アンカーピンによって止めたりするという多くの施工が必要になる上、骨材にフルイ砂、フルイ砕石、フルイ砂利または人工軽量粗骨材などが用いられるため、リサイクル材を活用するといった環境面における貢献は期待できないものであった。
【０００８】
そこで本発明の目的は、施工性に優れているとともに、透水性に富み、斜面部分を流れ伝わる水や斜面内湧水を効率よく集めて排水することができる盛土透水層を提供することにある。
【課題を解決するための手段】
【０００９】
本発明者らは、上記課題につき鋭意検討した結果、廃タイヤをカットまたは破砕して得られる破砕ゴム片を透水材として所定の条件下で盛土に適用することにより、上記目的を達成し得ることを見出し、本発明を完成するに至った。
【００１０】
即ち、本発明の盛土透水層は、既存の傾斜地斜面に沿い造成される新設盛土であって、該新設盛土内に透水手段が施工されてなる盛土透水層において、前記透水手段として、破砕ゴム片を棒状に形成してなる排水部位が前記傾斜地斜面から前記新設盛土側法面まで略水平方向に複数施工されてなることを特徴とするものである。
【００１１】
本発明の盛土透水層においては、前記排水部位が、前記傾斜地斜面に隣接する部分をテーパー状に形成してなる基端部を有することが好ましい。また、前記破砕ゴム片の長径は、好ましくは１０mm〜３００mmである。さらに、前記排水部位は、水平より１〜１０°の勾配を付けて施工されていることが好ましい。さらにまた、前記排水部位は、前記新設盛土内において高さ方向に複数段施工することができ、また、前記新設盛土の法面に対し任意の高さで施工することができる。
【発明の効果】
【００１２】
本発明によれば、新設盛土に対し施工性に優れ、軽量で優れた透水機能を有する排水手段を確保することができる。また、全面排水層とは異なり複数の排水部位を施工する、より少量のリサイクル材の使用であるにもかかわらず、盛土周辺部および内部の水を効率的に集めて排水することができ、経済性にも優れている。さらに、傾斜地斜面に隣接する部分をテーパー状に形成してなる基端部を有する排水部位を使用すれば、旧斜面部分を流れ伝わる水や旧斜面内湧き水等を、より効率よく集めて、排水ポンプ的役割を担う破砕ゴム片部分に誘導し、排水することができる。さらにまた、排水部位を勾配をつけて施工すれば、スムーズな盛土外への誘導排水が可能となる。
【発明を実施するための最良の形態】
【００１３】
以下に、図面を参照して本発明の好適実施形態について説明する。
図１は本発明の好適実施形態に係る盛土透水層の透視斜視図、図２は同盛土透水層を上面から見た透視上面図、図３は同盛土透水層の施工状態を示す断面図である。
【００１４】
図示する盛土透水層１は、既存の傾斜地斜面１０に沿い造成される新設盛土１１内に、透水手段として、排水部位２が傾斜地斜面１０から新設盛土１１側法面まで略水平方向に複数施工されている。これにより、既存の傾斜地斜面１０より流れ伝わる水や湧き水等を破砕ゴム片Ａ部分の排水部位２に誘導し、排水することで、土砂崩れ等を未然に防止することができる。
【００１５】
排水部位２は、破砕ゴム片Ａを棒状に形成してなり、好ましくは、排水部位２の、傾斜地斜面１０に隣接する基端部３を水平方向においてテーパー状に形成して施工する。例えば、既存の傾斜地斜面１０隣接部分の基端部３は幅広に施工し、徐々に幅を狭め、新設盛土１１の法面１２に到達するまでの本体部４を棒状に絞った形で施工する。このように施工することで、図２に示すように、既存の傾斜地斜面１０より流れ伝わる水や湧き水等を効率よく集め、排水ポンプ的役割を担う破砕ゴム片Ａ部分に誘導し、排水することができる。なお、排水部位２の本体部４は、図示例では角柱状に施工されているが、これに限られることはなく、円柱状等に形成することができるのは勿論である。
【００１６】
破砕ゴム片Ａは、廃タイヤをカットもしくは破砕して得られるタイヤチップ、タイヤシュレッズを好適に使用することができる。また、ギロチンカッターにより１／１６、１／３２等に裁断した俗称カット品と呼ばれる扇形の均一形状破砕品も使用することができ、さらにスチールコード入り、ゴムのみのチップいずれも使用することができる。
【００１７】
破砕ゴム片Ａの長径は１０〜３００ｍｍが好ましく、さらに好ましくは２０〜１００ｍｍである。ここで、ゴム片の長径とは、ゴム片の径が最大となる箇所を測定した値である。破砕ゴム片Ａの径が１０ｍｍより小さいと、破砕ゴム片Ａ間の空隙が減少し透水性が低下し十分な効果が得られない。一方、３００ｍｍを超えると施工性が低下し、また、破砕ゴム片Ａの経時変形に伴う施工後の上部地盤沈下が大となり、好ましくない。
【００１８】
盛土透水層１を新設盛土１１内に施工する方法としては、人手によるマニュアル施工、ブルドーザーまたはバッグホー等重機による機械化による施工のいずれも可能である。
【００１９】
本発明の盛土透水層の好適一実施の形態として、図３に示すように、排水部位２は、新設盛土１１内において若干の勾配を付けて施工してもよく、好ましくは、水平より１〜１０°、より好ましくは３〜７°の勾配をつけて新設盛土１１内に施工する。この勾配により、よりスムーズな盛土外への誘導排水が可能になる。なお、図３に示す新設盛土１１の上面には植栽部１３が設けられている。
【００２０】
また、本発明においては、破砕ゴム片Ａにより形成される排水部位２に、砕石等の既存の透水材を混合してもよい。この既存の透水材としては、砂、礫、砕石等が好ましく、特に、経済性の観点からは現場にて発生する砕石がより好ましい。破砕ゴム片Ａ内に砕石等の既存の透水材を適宜混合することにより、排水性や施工後の盛土の強度を調整することができる。
【００２１】
さらに、本発明の盛土透水層の他の好適一実施の形態として、排水部位２を、新設盛土１１内に高さ方向に複数段施工することができる。複数段施工することで、広範囲に亘って排水性を確保することができる。施工される排水部位２の数、径および長さは特に限定されるものではなく、例えば、施工される盛土の状況等に応じて夫々適宜定めればよい。また、排水部位２を、新設盛土１１の法面に対し任意の高さで施工することができ、この高さも盛土の状況に応じて夫々適宜定めればよい。
【図面の簡単な説明】
【００２２】
【図１】本発明の一実施形態に係る盛土透水層の透視斜視図である。
【図２】図１に示す盛土透水層の透視上面図である。
【図３】図１に示す盛土透水層の断面図である。
【符号の説明】
【００２３】
１    盛土透水層
２    排水部位
３    基端部
４    本体部
５    排水部位        
１０  傾斜地斜面
１１  新設盛土
１２  法面
１３  植栽部
破砕ゴム片Ａ
【図１】
2008223360.tif 000003
【図２】
2008223360.tif 000004
【図３】
2008223360.tif 000005